(57)【要約】【課題】ファイルシステムを導入した記録再生メディア上の、映像・音声データに付随したメタデータからの情報の読み出し開始時期を早くし、電源起動時の記録、再生動作を速やかに行えるようにする【解決手段】ファイルシステム管理外の領域に記録、再生動作を開始するのに必要となるデータをメタデータとして記録しておくことで、ファイルシステム管理情報が解析されていない状態でもコンテンツデータとメタデータの記録、再生動作に移ることができる。【選択図】図１
2006120217.tif 000002
【特許請求の範囲】
【請求項１】
記録再生メディアにファイルシステムを導入した、映像・音声信号を記録及び再生する記録再生装置であって、
タイムコードを生成するタイムコード生成手段と、
映像・音声信号を前記タイムコードと共に符号化するエンコード手段と、
映像・音声信号に付随する情報であるメタデータを生成するメタデータ生成手段と、
前記エンコード手段で符号化された符号化データ及び前記メタデータを前記記録再生メディアに読み書きするデータ読み書き手段とを備え、
前記データ読み書き手段は、前記記録再生メディアに対して前記符号化データ及び前記メタデータを前記ファイルシステムの管理下の領域に記録すると共に前記メタデータのうちの少なくとも一部を第２メタデータとして前記ファイルシステムの管理外の領域に記録する記録再生装置。
【請求項２】
前記第２メタデータは、タイムコード情報を含む請求項１記載の記録再生装置。
【請求項３】
前記第２メタデータは、前記記録再生メディア上の前記データの再生情報を含む請求項１記載の記録再生装置。
【請求項４】
前記記録再生装置の電源起動時には、前記第２メタデータからタイムコード情報を読み出し、前記タイムコード生成手段で前記タイムコード情報に基づいてタイムコードを生成する請求項２記載の記録再生装置。
【請求項５】
前記記録再生装置の電源起動時には、前記第２メタデータから前記再生情報を読み出し、前記再生情報に基づいて再生データを決定する請求項３記載の記録再生装置。
【発明の詳細な説明】
【技術分野】
【０００１】
本発明は、ＳＤメモリーカード等のようなメモリカードや記録型のＤＶＤのように、記録再生メディア上のデータの取り扱いにファイルシステムを導入しているメディアを使用した映像、音声の記録再生装置に関し、より詳細には、装置の電源起動時の記録動作、再生動作をより高速に実施する装置に関する。
【背景技術】
【０００２】
従来の記録再生メディア上のデータの取り扱いにファイルシステムを導入している映像、音声の記録再生装置では、映像、音声信号を符号化した映像、音声データ（以下、コンテンツデータ）とコンテンツデータに付随するデータ（以下、メタデータ）両方をファイルシステムデータ領域に記録すると共に、これらデータの管理情報をファイルシステム管理情報領域に記録する（例えば、特許文献１参照。）。それぞれの領域への記録は、ファイルシステムの管理下で行っている。ファイルシステムは記録再生装置の電源投入時に起動する。そのため従来の記録再生装置は、ファイルシステムが起動して使えるようになるのを待ってから、ファイルシステム管理情報領域を解析し、その後コンテンツデータ、メタデータの記録、再生を行なっている。
【０００３】
特に、記録の際には入力された映像、音声信号にタイムコードを付加して符号化するが、メディア上のタイムコードの連続性を保った記録モードでは、ファイルシステムデータ領域のコンテンツデータやメタデータを検索し、メディア上の最後のタイムコードを抽出し、それに連続するタイムコードを生成して記録する。
【０００４】
また再生に当たっては、コンテンツデータの記録順をファイルシステムデータ領域のメタデータを検索することで認識し、先頭からの再生、以前再生していた位置からの再生、最後のコンテンツの再生など、様々な順番で再生を実行する。
【特許文献１】特開２００４−１８０２７９号公報
【発明の開示】
【発明が解決しようとする課題】
【０００５】
しかしながら従来の記録再生装置では、ファイルシステムの起動完了後、ファイルシステム管理情報領域を解析するまでコンテンツデータ、メタデータにアクセスできないので記録、再生動作ができず、メディア上のタイムコードの連続性を保った記録を電源起動直後に実行しようにも、解析が完了し、コンテンツデータ、メタデータの中身を検索するまでは記録を開始することができないという問題があった。また、再生においてもファイルシステムが起動するまではコンテンツをどのような順番で再生してよいか決めることができず、再生動作に入ることができないという問題があった。
【０００６】
本発明は上記のような問題点に鑑み、通常動作におけるコンテンツデータのメディア上への記録、メディアからの再生には影響を与えずに、電源起動時の記録動作、再生動作をよりすばやく実施することができる記録再生装置を提供することを目的とする。
【課題を解決するための手段】
【０００７】
上記課題を解決するために本発明は、記録再生メディアにファイルシステムを導入した、映像・音声信号を記録及び再生する記録再生装置であって、タイムコードを生成するタイムコード生成手段と、映像・音声信号を前記タイムコードと共に符号化するエンコード手段と、映像・音声信号に付随する情報であるメタデータを生成するメタデータ生成手段と、前記エンコード手段で符号化された符号化データ及び前記メタデータを前記記録再生メディアに読み書きするデータ読み書き手段とを備え、前記データ読み書き手段は、前記記録再生メディアに対して前記符号化データ及び前記メタデータを前記ファイルシステムの管理下の領域に記録すると共に前記メタデータのうちの少なくとも一部を第２メタデータとして前記ファイルシステムの管理外の領域に記録する構成としたものである。
【発明の効果】
【０００８】
本発明は上記構成により、ファイルシステム管理下のファイルシステムデータ領域にあるコンテンツデータやメタデータが持つ記録開始や再生開始にかかわるデータをファイルシステム管理情報領域を解析してから検索せずとも、ファイルシステム管理外に生成するメタデータから読み出すことができるので、電源起動時直後の記録動作、再生動作を通常の記録動作、再生動作には何の影響も与えることなく、すばやく開始することができる。
【発明を実施するための最良の形態】
【０００９】
以下、本発明の実施の形態について、図を用いて説明する。図１は、本発明の実施の形態に係る記録再生装置のブロック図である。図１において、１００は映像信号入力端子、１０１は音声信号入力端子、１０２は映像、音声信号を符号化、復号化するエンコード・デコード手段、１０３は符号化データ、１０４はデータ読み書き手段、１０５はＣＰＵ、１０６は記録メディアに対する書き込み、読み出し位置を制御するアドレス信号、１０７はＣＰＵ１０５が記録メディアに対して書き込み、読み出しするデータ、１０８は記録メディア、１０９はＣＰＵ１０５が記録メディア１０８から読み出したタイムコード情報、１１０はＣＰＵ１０５が設定するメタデータ、１１１はタイムコード生成手段、１１２は映像、音声信号とともにエンコード・デコード手段１０２で符号化されるタイムコードデータ、１１３はメタデータとして必要となるタイムコードデータ、１１４はメタデータ生成手段、１１５は記録メディア１０８に書き込むメタデータ、１１６は映像信号出力端子、１１７は音声信号出力端子、１１８はファイルシステム管理下のファイルシステムデータ領域にある符号化データであるコンテンツデータ、１１９はファイルシステム管理下のファイルシステムデータ領域にあるメタデータ、１２０はファイルシステム管理下のファイルシステム管理情報領域にあるファイルシステム管理情報、１２１はファイルシステム管理外にあるメタデータである。
【００１０】
以下、本実施の形態による記録再生装置の動作について説明する。電源投入直後の記録動作について、通常の記録時の動作と対比するかたちで説明する。まず、通常の記録動作を電源起動から行った場合の動作について図２のフロー図を用いて説明する。Ｓ２０１で電源起動されると、Ｓ２０２ではＣＰＵが初期化され、ファイルシステムがロードされる。Ｓ２０３ではタイムコードの連続性を保持した記録モードでの記録スタートを受け付ける。Ｓ２０４では記録スタートを受け付けるが、ファイルシステムのロードが完了するまで待ってから、ファイルシステム管理下のコンテンツデータ１１８やメタデータ１１９から記録メディア１０８内の最後のタイムコード情報１０９を検索する。Ｓ２０５ではＳ２０４で読み出したタイムコード情報１０９をタイムコード生成手段１１０にセットする。Ｓ２０６ではセットされたタイムコード情報１０９から連続タイムコードを生成し、エンコード・デコード手段１０２にセットする。Ｓ２０７ではタイムコードを付加して映像、音声信号を符号化し、符号化データ１０３を生成する。Ｓ２０８ではメタデータとして必要となるタイムコード情報１１３をメタデータ生成装置１１４にセットし、メタデータ１１５を生成する。Ｓ２０９ではデータ読み書き装置１０４に映像、音声符号化データと、メタデータをそろえる。Ｓ２１０では符号化データ１０３とメタデータ１１５をＣＰＵが制御のもと記録メディア１０８に書き込む。以後、Ｓ２０６からＳ２１０の動作が繰り返し行われる。
【００１１】
次に、本発明の記録再生装置の動作を図３のフロー図を用いて説明する。ただしＳ３０４、３０５のフローシーケンス以外は動作内容は同じである。本発明の記録再生装置は、起動直後の動作開始時期を早めるため、下記のように動作する。記録再生装置の起動が行われると各手段、ＣＰＵのリセットが解除されていく。ＣＰＵ１０５はリセットが解除されると初期化を実施していく。通常は、その中でファイルシステムがロードされ、ファイルシステム管理下のデータにアクセスできるようになるが、ファイルシステム管理情報１２０の解析に時間がかかる場合はデータへのアクセス開始時期が遅れてしまう。そこで、本発明では、ファイルシステムが起動してファイルシステム管理情報１２０の解析が可能となる前に、記録動作に必要となる記録メディア１０８上のファイルシステム管理下にあるコンテンツデータ１１８やメタデータ１１９が持つ情報ではなく、図３のＳ３０４に示すようにファイルシステム管理外のメタデータ１２１を読み出す。
【００１２】
メタデータ１２１はＣＰＵ１０５がファイルシステムを通さなくても読めるメディア１０８上の特定の位置に記録されているので、データ読み書き手段１０４が起動していれば容易に読み出すことができる。読み出したメタデータ１２１からタイムコード情報１０９を切り出し、Ｓ３０５でタイムコード生成手段１１０にセットする。その後、ファイルシステムがロード終了次第通常と同じように記録動作に入る。
【００１３】
通常の動作と異なる点は、Ｓ３０４とＳ３０５のフローシーケンスで、ファイルシステムのロード中にファイルシステム管理外のメタデータをファイルシステムとは関係なく読み出して、タイムコードをセットするところである。
【００１４】
ここでメタデータ１２１の記録はどう実行されるのかについて説明する。メタデータ１２１はメタデータ生成手段１１４で作成される。メタデータ１２１はメタデータ１１９とまったくのコピーであっても良く、コンテンツデータ１１８ごとにあるメタデータ１１９内の特定のデータから抽出された必要なデータだけで構成されていても良い。メタデータを記録メディアに記録するタイミングは、記録中に随時行っても、記録の最後に行っても良い。
【００１５】
メタデータ１１９の構成内容の１例を図４に示す。このメタデータに含まれる内容としては、コンテンツデータ名、コンテンツデータの情報、記録メディア内のコンテンツシリアル番号、直前のコンテンツシリアル番号、次のコンテンツシリアル番号、ビデオフォーマット、コーデックのタイプ、ドロップフレームフラグ、コンテンツ先頭位置のタイムコード、末尾のタイムコード、ユーザビット、映像の解像度、アスペクト比、先頭から使用しないフレーム、オーディオフォーマット、コーデックのタイプ、サンプリングレート、１サンプルあたりのビット数がある。
【００１６】
メタデータ１２１の１例について図５に示す。このメタデータに含まれる内容としては、記録メディア１０８内の末尾コンテンツ名、末尾コンテンツの情報、末尾コンテンツシリアル番号、末尾直前のコンテンツシリアル番号、ビデオフォーマット、コーデックのタイプ、ドロップフレームフラグ、末尾コンテンツ先頭位置のタイムコード、記録メディア内の末尾のタイムコード、ユーザビット、映像の解像度、アスペクト比、先頭から使用しないフレーム、オーディオフォーマット、コーデックのタイプ、サンプリングレート、１サンプルあたりのビット数がある。
【００１７】
次に電源起動直後の再生動作について、通常の再生時の動作と対比するかたちで説明する。まず、通常の再生動作を電源起動から行った場合について図６のフロー図を用いて説明する。Ｓ２０１、２０２は記録時と同じである。Ｓ６０３では再生スタートを受け付ける。Ｓ６０４では再生スタートを受け付けるが、ファイルシステムのロードが完了するまで待って、ファイルシステム管理下のコンテンツデータ１１８やメタデータ１１９から記録メディア１０８内のコンテンツデータの記録された順や、記録されている位置を決定する。Ｓ６０５ではその情報を元に、ＣＰＵ１０５上のソフトウェアで実行するファイルシステムを通してアドレス信号１０６をデータ読み書き手段１０４に出力する。Ｓ６０６ではそのアドレスに従って記録メディア１０８上のコンテンツデータ１１８を読み出す。Ｓ６０７では符号化データ１０３をエンコード・デコード手段１０２に送りデコードする。Ｓ６０８ではデコードした映像、音声信号を出力する。以後、Ｓ６０５から６０８の動作が繰り返し行われる。
【００１８】
次に、本発明の記録再生装置の動作を図７のフロー図を用いて説明する。ただしＳ７０４以外のフローシーケンスは動作内容は同じである。本発明の記録再生装置は、起動直後の動作開始時期を早めるため、下記のように動作する。記録再生装置の起動が行われると各手段、ＣＰＵのリセットが解除されていく。ＣＰＵ１０５はリセットが解除されると初期化を実施していく。通常は、その中でファイルシステムがロードされ、ファイルシステム管理下のデータにアクセスできるようになるが、ファイルシステム管理情報１２０の解析に時間がかかる場合はデータへのアクセス開始時期が遅れてしまう。そこで、本発明では、ファイルシステムが起動してファイルシステム管理情報１２０の解析が可能となる前に、再生動作に必要となる記録メディア１０８上のファイルシステム管理下にあるコンテンツデータ１１８やメタデータ１１９が持つ情報ではなく、図７のＳ７０４に示すようにファイルシステム管理外のメタデータ１２１を読み出す。
【００１９】
メタデータ１２１はＣＰＵ１０５がファイルシステムを通さなくても読めるメディア１０８上の特定の位置に記録されているので、データ読み書き手段１０４が起動していれば容易に読み出すことができる。読み出したメタデータ１２０からコンテンツデータの記録された順や、記録されている位置を決定する。その後、ファイルシステムがロード終了次第通常と同じように再生動作に入る。
【００２０】
通常の動作と異なる点は、Ｓ７０４のフローシーケンスで、ファイルシステムのロード中にファイルシステム管理外のメタデータをファイルシステムとは関係なく読み出して、コンテンツの記録順や記録位置を決定するところである。
【００２１】
このように記録、再生動作に必要となるメタデータをファイルシステム管理下と管理外の双方に持つことで、電源起動時の記録、再生動作を通常より早くすることができ、管理外にあるメタデータの有無に関係なく通常動作も行うことができる。
【産業上の利用可能性】
【００２２】
本発明の記録再生装置は、電源投入から記録開始および再生開始までの時間を短縮できるため、業務用途のカメラ一体型映像記録装置等にも有用である。
【図面の簡単な説明】
【００２３】
【図１】本発明の実施の形態の構成を示すブロック図
【図２】本発明の実施の形態の通常記録動作フロー図
【図３】本発明の実施の形態の電源起動直後の記録動作フロー図
【図４】本発明の実施の形態のメタデータ１１９の構成を示した図
【図５】本発明の実施の形態のメタデータ１２０の構成を示した図
【図６】本発明の実施の形態の通常再生動作フロー図
【図７】本発明の実施の形態の電源起動直後の再生動作フロー図
【符号の説明】
【００２４】
１００  映像信号入力端子
１０１  音声信号入力端子
１０２  エンコード・デコード手段
１０３  符号化データ
１０４  データ読み書き手段
１０５  ＣＰＵ
１０６  アドレス信号
１０７  ＣＰＵが読み書きするデータ
１０８  記録メディア
１０９  タイムコード情報
１１０  ＣＰＵが設定するメタデータ
１１１  タイムコード生成手段
１１２  符号化されるタイムコードデータ
１１３  メタデータとして必要となるタイムコードデータ
１１４  メタデータ生成手段
１１５  メタデータ
１１６  映像信号出力端子
１１７  音声信号出力端子
１１８  ファイルシステム管理下のファイルシステムデータ領域のコンテンツデータ
１１９  ファイルシステム管理下のファイルシステムデータ領域のメタデータ
１２０  ファイルシステム管理下のファイルシステム情報管理領域の管理情報
１２１  ファイルシステム管理外のメタデータ
【図１】
2006120217.tif 000003
【図２】
2006120217.tif 000004
【図３】
2006120217.tif 000005
【図４】
2006120217.tif 000006
【図５】
2006120217.tif 000007
【図６】
2006120217.tif 000008
【図７】
2006120217.tif 000009